(57)【要約】【課題】  屋根上での作業時に、部品や工具等の落下を防止する。【解決手段】  屋根上ストッパ装置１として、板状のベース部１２及びベース部１２に形成される係合部１４を有する基台１０を屋根上に固定し、更に、この係合部１４と係合する係合プレート４２及び係合プレート４２に対して角度をなすストッパ受け部４４を有するストッパ保持台４０を、基台１０に対して着脱自在に設置する。ストッパ保持台４０のストッパ受け部４４に、屋根上に水平配置されるストッパ板材８０を固定する。【選択図】図１
2007070986.tif 000002
【特許請求の範囲】
【請求項１】
板状のベース部、及び該ベース部に形成される係合部を有し、該ベース部によって屋根に固定可能となっている基台と、
前記基台の前記係合部と係合可能な係合プレート、及び該係合プレートに対して角度を有して配設されるストッパ受け部を有し、前記基台に対して着脱自在となっているストッパ保持台と、を備え、
前記ストッパ保持台の前記ストッパ受け部によって、屋根上に水平配置されるストッパ板材を固定可能となっていることを特徴とする屋根上ストッパ装置
【請求項２】
前記基台が、更に、前記ベース部と角度をなして配設される補強部を有しており、該補強部が、前記ストッパ保持台における前記ストッパ受け部と当接可能となっていることを特徴とする請求項１記載の屋根上ストッパ装置。
【請求項３】
前記基台の前記補強部と前記ストッパ保持台の前記ストッパ受け部とが締結手段によって締結可能となっていることを特徴とする請求項２記載の屋根上ストッパ装置。
【請求項４】
前記ストッパ受け部が、更に、前記ストッパ受け部と平行に配設される挟持部を有しており、該挟持部と前記ストッパ受け部によって前記ストッパ板材を挟持可能となっていることを特徴とする請求項１、２又は３記載の屋根上ストッパ装置。
【請求項５】
前記基台の前記係合部に対して、前記ストッパ保持台の前記係合プレートを屋根の傾斜下方向にスライドさせることで、該係合部及び該係合プレートが係合状態となることを特徴とする請求項１乃至４のいずれか記載の屋根上ストッパ装置。
【請求項６】
前記基台における前記係合部が、前記ベース部に突出形成される鍵状突起を備えると共に、前記ストッパ保持台の前記係合プレートには、第１溝及び該第１溝と直角方向に連続する第２溝が形成されており、
前記第１溝及び第２溝内に沿って前記鍵状突起をスライドさせることで、前記係合プレートが位置決めされることを特徴とする請求項１乃至５のいずれか記載の屋根上ストッパ装置。
【請求項７】
前記係合プレートと前記ストッパ受け部のなす角度が鋭角に設定されていることを特徴とする請求項１乃至６のいずれか記載の屋根上ストッパ装置。
【発明の詳細な説明】
【技術分野】
【０００１】
本発明は、屋根上で作業する際に、各種物品や作業者の落下を防止する屋根上ストッパ装置に関するものである。
【背景技術】
【０００２】
従来、ソーラーパネル（太陽電池）を用いて太陽光エネルギーを電気エネルギーに変換する太陽光発電が広く知られている。そして、このような太陽光発電に用いられるソーラーパネルは、より多くの太陽光エネルギーを吸収すべく、住宅や工場などの屋根に設置されるのが一般的である（例えば、特許文献１参照）。
【特許文献１】特開２００４−１２４６６５号公報
【発明の開示】
【発明が解決しようとする課題】
【０００３】
しかしながら、大型で重量のあるソーラーパネルを、傾斜があり足場が不安定な屋根の上に設置するのは必ずしも容易ではなく、最悪の場合、設置作業の際にソーラーパネルを誤って屋根から落として破損してしまう例もある。また、施工手順として、先ず、各種金具をネジにより屋根に固定した後、この金具に縦・横ラック（梁）を配置し、この縦・横ラックにソーラーパネルモジュールを一枚ずつ設置していくことが必要となり、多量の部品が必要となる。従って、施工中に、ネジ、金具、ラック、工具等を屋根から落としてしまう場合も多く、軒下の車等を傷つけたりする場合もある。
【０００４】
また、施工コストの関係から、ソーラーパネルの施工の際、屋根に十分な足場が確保されていない場合も多く、施工者の安全が十分に確保できていない可能性がある。特に、近年では、デザイン性を重視した複雑な形状の屋根が多く採用されており、屋根の上におけるソーラーパネルの設置作業は従来にも増して困難な状況にある。
【０００５】
本発明は、このような問題点を解決するためになされたものであって、ソーラーパネルの設置等の複雑な作業を、屋根の上で安全に実行することができる屋根上ストッパ装置を提供することを目的とする。
【課題を解決するための手段】
【０００６】
本発明に係る屋根上ストッパ装置は、板状のベース部、及び該ベース部に形成される係合部を有し、該ベース部によって屋根に固定可能となっている基台と、前記基台の前記係合部と係合可能な係合プレート、及び該係合プレートに対して角度を有して配設されるストッパ受け部を有し、前記基台に対して着脱自在となっているストッパ保持台と、を備え、前記ストッパ保持台の前記ストッパ受け部によって、屋根上に水平配置されるストッパ板材を固定可能とすることにより、上記課題を解決するものである。
【０００７】
本発明によれば、屋根の上にストッパ板材を保持できるので、このストッパ板材が部品や工具等の落下を制止することにより、作業時の安全性を高めることが可能になる。また、基台とストッパ保持台が着脱自在となっているので、作業の完了後も、基台を屋根側に残しておくことで、次回の作業時に簡単にストッパ板材を設置することが可能となる。また、基台はコンパクトに構成することができるので、屋根に残しておいても美観を維持することが可能となっている。
【０００８】
基台には、更に、前記ベース部と角度をなして配設される補強部を有するようにし、該補強部が、前記ストッパ保持台における前記ストッパ受け部と当接可能とすれば、ストッパ受け部の剛性を向上させことが出来る。また、補強部が、ストッパ保持台の落下を抑制できるので、安全性を高めることが可能となる。この際、更に補強部とストッパ受け部とが締結手段によって締結可能とすることにより、両者の相対移動を固定できるので、振動や衝撃によって係合状態が開放されてしまうことを防止できるようになる。
【０００９】
また、前記ストッパ受け部が、更に前記ストッパ受け部と平行に配設される挟持部を有しており、該挟持部と前記ストッパ受け部によって前記ストッパ板材を挟持可能とすれば、一層確実に、ストッパ板材を固定できるようになる。
【００１０】
なお、係合部と係合プレートの係合構造は様々であるが、前記基台の前記係合部に対して、前記ストッパ保持台の前記係合プレートを屋根の傾斜下方向にスライドさせることで該係合部及び該係合プレートが係合状態となるようにすることが好ましい。重力に沿った方向に積極的に係合させることで、ストッパ保持台の耐荷重性能を高めることが可能になる。例えば、係合構造として、前記ベース部に突出形成される鍵状突起が形成されると共に、前記ストッパ保持台の前記係合プレートには、第１溝及び該第１溝と直角方向に連続する第２溝が形成されており、前記第１溝及び第２溝内に沿って前記鍵状突起をスライドさせることで、前記係合プレートが位置決めされるようにする。この結果、第１溝及び第２溝の溝方向の違いによるロック機能を提供できるようになるので、係合状態の安定性を高めることが出来る。
【００１１】
また、前記ストッパ保持台における係合プレートと前記ストッパ受け部のなす角度が鋭角に設定されているようにすれば、勾配のきつい屋根であっても、部品等の落下を効果的に制止することができるようになる。
【発明の効果】
【００１２】
本発明によれば、屋根上での作業の安全性を高めることが可能になるという優れた効果を奏し得る。
【発明を実施するための最良の形態】
【００１３】
以下図面を参照しながら、本発明の実施の形態の例に係る屋根上ストッパ装置について説明する。
【００１４】
図１には、本実施形態に係る屋根上ストッパ装置１を側面視した状態が示されている。このストッパ装置１は、屋根側に固定される基台１０と、この基台１０に対して着脱自在となっているストッパ保持台４０とを備えている。ストッパ保持台４０は、屋根の軒先に沿って配置されるストッパ板材８０を保持するようになっている。なお、ストッパ板材８０は、市販の集成材や合板等を用いることが可能である。
【００１５】
基台１０は、図２に拡大して示されるように、板状のベース部１２と、このベース部１２に形成される係合部１４と、ベース部１２に対して角度を有して配設される補強部１６とを備える。ベース部１２には、屋根の傾斜方向が長手方向となるような長方形のステンレス板材であり、皿ネジを受けるためのネジ孔１３が複数形成される。このネジ孔１３を介して、皿ネジによりベース部１２を屋根に固定可能となっている。なお、ベース部１２の屋根側面におけるネジ孔１３の周囲には、防水ゴム１８が設置されており、屋根とベース部１２の隙間やネジ孔１３などから、雨水が浸入するのを防止する（図１参照）。なお、特に図示しないが、この基台１０は黒色に塗装されており、外観上、屋根材に対して目立たないように考慮されている。
【００１６】
係合部１４は、ベース部１２に対して屋根の反対側に突出する鍵状突起（側面視Ｌ字状の突起）であり、ベース部１２の長手方向に２個配置される。この係合部１４の突端１４Ａは、補強部１６の反対側に開放されているので、開放側から補強部１６に向かってストッパ保持台４０をスライドさせることで、ストッパ保持台４０を係合部１４に係合させる（詳細は後述）。
【００１７】
補強部１６は、ベース部１２の一端（屋根の傾斜方向の下端側）を屈曲して形成される。この補強部１６とベース部１２と成す角度Ｄ（即ち屈曲角度）は鋭角であり、詳細には５０度以上〜９０度未満の範囲内、好ましくは６５度以上〜８０度未満の範囲内に設定され、本実施例では７０度となっている。この補強部１６は、同じ角度に設定されるストッパ保持台４０と当接するようになっており、ストッパ保持台４０の剛性を向上させる機能を担う。なお、上記角度範囲内に設定すると、屋根が金勾配（屋根の頂点が９０度となる状態、即ち４５度の傾斜角度）以上であっても、部品等の落下を効果的に防止することが可能となる。
【００１８】
補強部１６には、締結用ネジ孔１７Ａが形成されている。締結用ネジ孔１７Ａは長孔形状となっており、ネジが貫通可能となっている。また、この締結用ネジ孔１７Ａの両脇、具体的には補強部１６の幅方向両縁近傍には、板固定孔１７Ｂが形成されており、釘やネジを用いてストッパ板材８０を固定できるようにしている。
【００１９】
図３及び図４には、ストッパ保持台４０が拡大して示されている。ストッパ保持台４０は全てステンレス材料で構成されており、基台１０の係合部１４と係合可能な係合プレート４２と、この係合プレート４２に対して角度を有して配設されるストッパ受け部４４と、係合プレート４２に配設され且つストッパ受け部４４と平行となる挟持部４６を備える。
【００２０】
係合プレート４２は、屋根の傾斜方向が長手方向となる長方形の板材で構成されている。又係合プレート４２には、長手方向に延在する第１溝４８及びこの第１溝４８と直角方向に延在する第２溝５０が連続形成されている。この結果、係合プレート４２には、この第１溝４８と第２溝５０によりＬ字形状の開口が形成されていることになる。なお、この開口は係合プレート４２の長手方向に２個形成されており、その間隔は係合部１４（２個の鍵状突起）の間隔と一致させている。第１溝４８の大きさは、基台１０の係合部１４全体を収容可能に設定されており、又、第２溝５０の大きさは、係合部１４の基端側の肉厚よりも若干大きくなるように設定されている。
【００２１】
この結果、先ず、基台１０の係合部１４を第１溝４８内に挿入した状態で、係合プレート４２をその長手方向（傾斜方向）にスライドさせる。その結果、係合部１４が第１溝４８内を移動するので、鍵状突起となる係合部１４が、係合プレート４２の厚さ方向に係合する。その後、係合プレート４２をその幅方向（水平方向）にスライドさせると、係合部１４の基端側（付根側）が第２溝５０内に挿入されるので、係合プレート４２が長手方向にも移動が規制されて、いわゆるロック状態になる。この結果、基台１０に対して係合プレート４２が位置決めされる。
【００２２】
ストッパ受け部４４は、係合プレート４２の一端（屋根の傾斜方向の下端側）を屈曲して形成される。このストッパ受け部４４と係合プレート４２とが成す角度は鋭角であり、既に説明した補強部１６の角度と一致させている。従って詳細には５０度以上〜９０度未満の範囲内、好ましくは６５度以上〜８０度未満の範囲内に設定され、本実施例では７０度となっている。
【００２３】
基台１０に対して係合プレート４２を設置すると、ストッパ受け部４４が補強部１６に当接する。ストッパ受け部４４には、雌ネジ孔５２が形成されており、この雌ネジ孔５２が補強部１６の締結用ネジ孔１７Ａと一致するようになっている。雌ネジ孔５２と締結用ネジ孔１７Ａを一致させた状態で、両者をボルト等で締結すれば、係合プレート４２と補強部１６を一体化できるので、係合プレート４２のスライドが規制され、これにより、係合プレート４２と係合部１４の係合状態を維持できるようになる。更に、ストッパ受け部４４には、その長手方向に沿って、板固定孔５４が複数形成されており、釘やネジを用いてストッパ板材８０を固定できるようにしている。このストッパ受け部４４の長さは、３００ｍｍ以上、具体的には３３０ｍｍに設定されている。このようにすると、足場として用いる市販の板材の幅が３００ｍｍ以内であることが多いので、設置時に、ストッパ受け部４４の先端をストッパ板材８０から突出させることができる。結果として、屋根上の作業者が、屋根上ストッパ装置１の設置場所を視覚的に把握することが出来る。
【００２４】
挟持部４６は、ストッパ受け部４４と平行且つ所定の間隔を空けて設置されている。ストッパ板材４４との間隔は３０ｍｍ以上が好ましく、より望ましくは４０ｍｍ以上に設定される。本実施形態では４２ｍｍに設定されている。これにより、市販されているストッパ板材８０は３０ｍｍ程度が多いことから、多少の余裕隙間を確保しつつ、ストッパ受け部４４と係合プレート４２によってストッパ板材８０を挟持できる。なお、この挟持部４６にも板固定孔５６が形成されており、釘やネジを用いてストッパ板材８０を固定できる。また、挟持部４６の長手方向の長さは１５０ｍｍに設定されている。
【００２５】
屋根上ストッパ装置１の施工手順について、図５を参照して説明する。先ず、図５（Ａ）に示されるように、屋根９０に対して基台１０を皿ネジ９２によって固定する。この際、基台１０の補強部１６が傾斜方向の下側に位置するように配置する。屋根がスレート材で構成されている場合は、そのスレート材の上から直接取り付けることが出来る。一方、瓦屋根の場合は一時的に瓦を取り外して、裏側の合板に固定する。固定する際には、屋根内部に存在する垂木（傾斜方向に伸びる梁材）に皿ネジ９２が固定されるようにして、十分な強度を確保する。
【００２６】
次に、図５（Ｂ）に示されるように、基台１０に対して、ストッパ保持台４０を設置する。具体的にはストッパ保持台４０の第１溝４８に基台１０側の係合部１４を挿入し、ストッパス保持台４０を屋根の傾斜下方向にスライドさせ、更に水平方向にスライドさせる。この結果、係合部１４が第２溝５０に挿入されて位置決めされるので、この状態で、締結ボルト９４を用いて、ストッパ保持台４０と基台１０を締結する。締結ボルト９４によりストッパ保持台４０のスライドが規制され、係合部１４との係合状態を維持することが出来る。
【００２７】
最後に、図５（Ｃ）に示されるように、ストッパ受け部４４と挟持部４６の間にストッパ板材８０を挿入して、ネジ９６を用いてストッパ受け部４４とストッパ板材８０を固定する。この際、補強部１６の幅方向に２個形成されている板固定孔１７Ｂを利用して、補強部１６にもストッパ板材８０を固定する。例えば、このストッパ受け部４４の中央で２枚のストッパ板材８０の端面をつき合わせる場合には、補強部１６側の板固定孔１７Ｂを利用して、各ストッパ板材８０を固定することが可能になる。
【００２８】
図６に示されるように、この屋根上ストッパ装置１は、屋根の軒先に沿って複数個設置される。例えば、ここでは４つの屋根上ストッパ装置１が設置されており、２個を一組として、各組に１枚ずつ、合計２枚のストッパ板材８０が固定されている。このように、屋根の軒先に屋根上ストッパ装置１を設置した状態で、ソーラーパネル９８の施工作業を行うようにする。
【００２９】
本実施形態の屋根上ストッパ装置１によれば、屋根の軒先等に沿ってストッパ板材８０を配置することが出来るので、ソーラーパネル９８の施工時において、ソーラーパネル９８、ネジ、金具、工具等の落下を未然に防止することが出来る。また、作業者も、ストッパ板材８０を足場として利用できるので、施工作業が円滑となり、高い安全性を確保することが出来る。また、本屋根上ストッパ装置１は、基台１０とストッパ保持台４０が分離可能となっていることから、屋根に基台１０を固定する作業と、基台１０に対して、ストッパ保持台４０を介してストッパ板材８０を固定する作業を分離することが出来るので、安全且つ簡単に設置することが出来る。更に、本屋根上ストッパ装置１では、作業の完了後、ストッパ保持台４０のみを取り外すと共に、基台１０を屋根に残しておくことができるので、次回、屋根上で作業する際に、簡単にストッパ板材８０を設置することができる。特に、屋根上の残った基台１０は、屋根に降り積もった雪が滑り落ちるのを防止する「雪止め」としても機能する。従って、この基台１０が他の（専用の）雪止めと渾然一体となることから、美観を損ねることもない。
【００３０】
また、この屋根上ストッパ装置１では、様々な長さのストッパ板材８０を利用できるので、屋根の形状（軒先長さ）に柔軟に対応することが可能となる。特に、市販されている板材をストッパ板材８０に用いることが出来るので、板材を加工すれば、様々な形状の屋根に対応できるようになる。同様に、この屋根上ストッパ装置１は、ストッパ受け部４４が３００ｍｍよりも長く設定されているので、市販の板材に対して、先端を突出させることができる。例えば、作業者の立場で考えると、ストッパ板材８０の中でも、屋根上ストッパ装置１が設置されている部位はしなりが少なく、安心感が高い。ストッパ受け部４４の先端を目印として屋根上ストッパ装置１の場所を瞬時に判断できるので、作業性を向上させることが出来る。なお、一層判断を容易にするには、ストッパ受け部４４の先端に、黄色や赤色等の目立つ色で着色しておくことが好ましい。
【００３１】
なお、本実施形態では、ストッパ板材８０として市販の合板等を用いる場合を示したが、本発明はそれに限定されず、専用のストッパ板材を用いても構わない。素材も木材に限定されず、強化プラスティックやファイバー樹脂、アルミ等を用いてもよい。
【００３２】
尚、本発明の屋根上ストッパ装置は、上記した実施の形態に限定されるものではなく、本発明の要旨を逸脱しない範囲内において種々変更を加え得ることは勿論である。
【産業上の利用可能性】
【００３３】
本発明の屋根上ストッパ装置によれば、屋根上での作業時に、部品や工具等の落下を防止することが可能になる。
【図面の簡単な説明】
【００３４】
【図１】本実施形態に係る屋根上ストッパ装置の側面図
【図２】（Ａ）同屋根上ストッパ装置における基台の正面図、（Ｂ）同基台の底面図
【図３】同屋根上ストッパ装置におけるストッパ保持台の正面図
【図４】図３のＡ−Ａ矢視図、及び図３のＢ−Ｂ矢視図
【図５】同屋根上ストッパ装置の設置手順を示す概念図
【図６】同屋根上ストッパ装置を屋根に設置した状態を示す全体斜視図
【符号の説明】
【００３５】
１・・・屋根上ストッパ装置
１０・・・基台
１２・・・ベース部
１４・・・係合部
１６・・・補強部
４０・・・ストッパ保持台
４２・・・係合プレート
４４・・・ストッパ受け部
４６・・・挟持部
４８・・・第１溝
５０・・・第２溝
８０・・・ストッパ板材
【図１】
2007070986.tif 000003
【図２】
2007070986.tif 000004
【図３】
2007070986.tif 000005
【図４】
2007070986.tif 000006
【図５】
2007070986.tif 000007
【図６】
2007070986.tif 000008